(57)【要約】【課題】  薄型化や高透過性を図り、未使用時でも周囲との調和が図られるようにする。【解決手段】  一対の透明ガラス基板５、６間に多数の発光セル７をマトリックス状に配列して表示領域８を構成するとともに各発光セル７のバス電極１０、１１がそれぞれ透明ガラス基板５、６の外周部に引き出されてなる表示パネル体２と、この表示パネル体２の外周部に沿って配置されて透明ガラス基板５、６の外周部を保持するとともに各発光セル７の各バス電極１０、１１が接続されてこれらに駆動電圧を選択的に印加することによって各発光セル７を発光させる駆動回路部４とを備える。【選択図】  図１
2005092150.tif 000002
【特許請求の範囲】
【請求項１】
一対の透明ガラス基板間に多数の発光セルをマトリックス状に配列して表示領域を構成するとともに、上記各発光セルのバス電極がそれぞれ上記透明ガラス基板の外周部に引き出されてなる表示パネル体と、
上記表示パネル体の外周部に沿って配置されて上記透明ガラス基板の外周部を保持するとともに、上記各発光セルの上記各バス電極が接続されてこれらに駆動電圧を選択的に印加することによって上記各発光セルを発光させる駆動回路部と
を備えることを特徴とする自発光型パネル表示装置。
【請求項２】
上記駆動回路部の内周部位と上記表示部の表示領域との間に構成された上記各バス電極の引出し領域から上記表示パネル体の背面側の背景が視認されることを特徴とする請求項１に記載の自発光型パネル表示装置。
【請求項３】
上記表示部が、表示画素或いは表示単位を構成する上記発光セル毎に、隣り合う上記発光セルとの間にそれぞれ高透過率領域を介して区割りされてなり、
上記高透過率領域を介して背面側の背景が視認されることを特徴とする請求項１に記載の自発光型パネル表示装置。
【請求項４】
上記各発光セルが、上記一対の透明ガラス基板の対向空間を区割りして上記発光セルを構成する隔壁と、一方側の上記隔壁内面に設けられた発光層と、この発光層と対向する他方側の上記隔壁内面に配置されて上記発光層から放射された表示光を上記表示パネル体の前面側の透明ガラス基板側に屈折して導光するとともに上記表示パネル体の背面側からの入射光を透過させる透明材によって形成された反射導光部材とを有し、
上記放電空間部を介して表示領域の背面側が視認されることを特徴とする請求項１に記載の自発光型パネル表示装置。
【請求項５】
上記透明ガラス基板間を区割りして上記発光セルを構成する隔壁の一方側内面に光三原色のいずれか一色の表示光を放射する発光層を設けるとともに、この発光層と対向する他方側内面に表示光を上記表示パネル体の前面側の透明ガラス基板側に屈折して導光するとともに上記表示パネル体の背面側からの入射光を透過させる透明材からなる導光部材を設けた多数の発光セルをマトリックス状に配列してなる単位発光層体を備え、
上記単位発光層体が、それぞれの発光セルを互いに同一軸線上に位置させるようにして三層に積層され、上記各発光部からそれぞれ放射される表示光が前面側の発光セル内を透過して最前部の上記透明ガラス基板から露光することによってカラー表示が行われることを特徴とする請求項１に記載の自発光型パネル表示装置。
【発明の詳細な説明】
【技術分野】
【０００１】
本発明は、透明ガラス基板間に封装して形成される多数の発光セルをマトリックス状に配列して表示領域を構成してなる自発光型パネル表示装置に関する。
【背景技術】
【０００２】
パネル表示装置は、陰極線管（CRT:Cathode Ray Tube）と比較して大型表示画面化、薄型軽量化を実現することが可能である。パネル表示装置には、例えば液晶・ディスプレィパネル（LCD:Liquid Crystal Display Panel）やエレクトロクロミック・ディスプレィパネル（ECD:Electtrochromic Display Panel）或いはプラズマ・ディスプレィパネル（PDP:Plasma Display Panel）やエレクトロルミネッセンス・ディスプレィパネル（Electtroluminescence Display Panel））等が提供されている。パネル表示装置は、ＬＣＤやＥＣＤが照明源を有する非発光型ディスプレィパネルであり、ＰＤＰやＥＬＤが照明源を必要としない自発光型ディスプレィパネルを構成する。
【０００３】
例えば、カラーＰＤＰは、前面フィルタパネルと、内部にそれぞれ放電電極が設けられた多数の放電セルをマトリックス状に配列して形成した表示パネル体を備え、放電電極間にパルス電圧を印加することによって放電セル内において紫外線を発生させる。カラーＰＤＰは、例えば前面フィルタパネルの内面に表示画素或いは表示単位毎に赤、緑、青の光三原色蛍光体からなる発光層が形成されており、この発光層に対して紫外線を照射していずれかの蛍光体を発光させてることによってカラー表示が行われるようにする。
【発明の開示】
【発明が解決しようとする課題】
【０００４】
ところで、カラーＰＤＰにおいては、各放電セルが、１５０μｍ程度の隙間を以って対向させた厚みが２ｍｍ乃至３ｍｍの一対の透明ガラス基板間に隔壁によって区割りして構成される。カラーＰＤＰにおいては、表示パネル体の背面部に、各放電セルの放電電極に対してパルス電圧を印加する駆動回路部が積層状態で組み合わされる。カラーＰＤＰにおいては、ＣＲＴに対して大幅な薄型化が図られるものの、表示パネル体と駆動回路部との積層体からなる構造からさらなる薄型化には限界がある。
【０００５】
また、パネル表示装置においては、大型の表示画面化が図られているが、画像表示が行われていない状態ではやや暗く広い面積の画面が見えるにすぎない。パネル表示装置においては、一般に使用時を中心として目につきやすい場所やよく利用される場所等に設置されて用いられるが、未使用時では薄暗く無味乾燥な大型画面が目立って周囲の雰囲気を損なわせてしまうといった問題があった。
【０００６】
一方、パネル表示装置においては、大型の表示画面化に伴って例えばイベント等において商品自体やその使用説明用のディスプレィとして極めて効果的に用いられる。パネル表示装置においては、その反面、未使用時において大きな薄暗い画面がブースの雰囲気を低下させてしまうといった問題がある。また、パネル表示装置においては、ブースのセンタ位置等に設置した場合にその背後に大きな死角を構成することから、ブースレイアウトを極めて難しくする。
【０００７】
したがって、本発明は、さらなる薄型化を可能とするとともに未使用時においても周囲との調和が図られるようにするとともに新規な使用態様も創成することが可能な自発光型パネル表示装置を提供することを目的に提案されたものである。
【課題を解決するための手段】
【０００８】
上述した目的を達成する本発明にかかる自発光型パネル表示装置は、一対の透明ガラス基板の間に多数の発光セルをマトリックス状に配列して表示領域を構成する表示パネル体と、この表示パネル体の外周部に沿って配置されて透明ガラス基板の外周部を保持するとともに各発光セルの各バス電極が接続されこれら各バス電極に駆動電圧を選択的に印加することによって各発光セルを発光させる駆動回路部とを備える。
【０００９】
以上のように構成される本発明にかかる自発光型パネル表示装置においては、駆動回路部がバス電極を介して所定の発光セルに設けた一対の透明電極に対して駆動パルス電圧を印加して当該発光セルから表示光を発光させる。自発光型パネル表示装置においては、表示光が透明電極を介して前面側の透明ガラス基板から露光することによって所定の表示が行われるようにする。自発光型パネル表示装置においては、表示パネル体の外周部に駆動回路部を設けてやや幅広の枠部が構成されるが、さほど大型となるわけでも無く違和感を生じることも無い。自発光型パネル表示装置においては、表示パネル体に、表示領域と駆動回路部の内周部との間に位置して引出し電極の形成領域が構成される。
【発明の効果】
【００１０】
以上のように構成される本発明にかかる自発光型パネル表示装置によれば、表示パネル体の外周部に沿って駆動回路部を配置したことから、表示パネル体をほぼ一対の透明ガラス基板の厚み寸法或いは必要に応じてこれら透明ガラス基板に積層して設けた電磁波遮断フィルタ等との厚み寸法によって構成することが可能となり一般的なパネル表示装置と比較してさらに薄型化が図られるようになる。本発明にかかる自発光型パネル表示装置によれば、一対の透明ガラス基板間に多数の発光セルを形成した表示パネル体が、表示領域或いはこの表示領域と駆動回路部との間に設けられる引出し電極の配置領域を介して前面側から背面側を透視することも可能とする。
【００１１】
したがって、本発明にかかる自発光型パネル表示装置によれば、未使用時においても駆動回路部の枠内から表示パネル体の背面側の背景を視認することも可能とされるようになり、周囲との調和が図られる新規な態様を創成する。また、本発明にかかる自発光型パネル表示装置によれば、透明な引出し電極の配置領域を介して表示領域の画像を浮き上がらせるようにするいわゆるフローティング表示を行うことも可能である。
【００１２】
本発明にかかる自発光型パネル表示装置においては、未使用状態では背景が見られる透明ガラス基板内に適宜の画像が浮き上がって表示されるように構成されることから、透明ガラス基板を枠体に組み合わせた種々の物品等に表示装置の機能を付加することを可能とする。本発明にかかる自発光型パネル表示装置によれば、例えば室内等に設置されるパーテーション或いは仕切窓等を画像表示装置として構成することを可能とし、またショーウィンド等にカラーの動画を表示させることも可能とする。
【発明を実施するための最良の形態】
【００１３】
以下、本発明にかかる自発光型パネル表示装置の実施の形態として図面に示したカラーＰＤＰ１について詳細に説明する。カラーＰＤＰ１は、図１に示すように横長矩形の表示パネル体２と、この表示パネル体２の外周部を保持する矩形枠状のベゼル３と、このベゼル３の各辺の内部にそれぞれ収納された駆動回路部４Ａ乃至４Ｂとから構成される。カラーＰＤＰ１は、図示しないが必要に応じてベゼル３の長手方向の両側面部にそれぞれスピーカユニットを組み合わせたり底面部にスタンド部材を設けるようにしてもよい。なお、駆動回路部４Ａ乃至４Ｂについては、以下、駆動回路部４と総称する。
【００１４】
表示パネル体２は、前面側の第１透明ガラス基板５と、背面側の第２透明ガラス基板６と、詳細を後述するがこれら第１透明ガラス基板５と第２透明ガラス基板６との間に封装されるようにして形成されるとともにマトリックス状に配列された多数の発光セル７とから構成される。表示パネル体２は、図１に示すように各発光セル７の形成領域が横長矩形の表示領域８を構成し、この表示領域８の外周部とベゼル３の内周部との間の矩形枠状の領域が引出し電極形成領域９を構成する。
【００１５】
表示パネル体２には、第１透明ガラス基板５の内面に各発光セル７に対応して水平方向に並んで多数の第１バス電極１０が形成されるとともに、第２透明ガラス基板６の内面に各発光セル７に対応して高さ方向に並んで多数の第２バス電極１１が形成される。表示パネル体２は、第１バス電極１０と第２バス電極１１とが、図１に示すように表示領域８内において各発光セル７を介して前後方向に離間するが、格子状に交差するようにして形成される。表示パネル体２は、第１バス電極１０を表示電極用とするとともに、第２バス電極１１をアドレス電極用ととする。表示パネル体２は、例えば第１バス電極１０が、各発光セル７毎に２本設けられて、表示領域内で１５３６本、左右の引出し電極形成領域９でそれぞれ７６８本が設けられる。表示パネル体２は、例えば第２バス電極１１が、各色毎に１３６５本、合計４０９５本が設けられてなる。
【００１６】
表示パネル体２は、各第１バス電極１０及び各第２電極１１が、図１に示すようにベゼル３によって覆われる外周部位において所定の領域毎に長手方向或いは幅方向に互いの間隔を狭められてテーパ部１０ａ、１１ａを構成して詳細を省略する多数個のコネクタ１２にそれぞれ接続される。表示パネル体２は、各第１バス電極１０及び各第２バス電極１１が、これらコネクタ１２を介して相対する駆動回路部４と接続される。なお、表示パネル体２においては、各第１バス電極１０を左右側辺部にそれぞれ配置した駆動回路部４Ａ、４Ｂと接続するとともに、各第２バス電極１１を上辺部と下辺部とにそれぞれ配置した駆動回路部４Ｃ、４Ｄと接続してなる。
【００１７】
表示パネル体２においては、ベゼル３によって囲まれた表示領域８と引出し電極形成領域９とが、各第１バス電極１０と各第２バス電極１１間に構成される隙間を介して前面側から背面側の背景を視認することが可能とされてなる。すなわち、表示パネル体２は、例えば詳細を後述する各発光セル７がそれぞれ９００μｍ×３００μｍの開口形状を以って形成され、また引出し電極形成領域９における各第１バス電極１０と各第２バス電極１１の幅が９０μｍに形成され、各発光セル７を区割りする隔壁１３の幅が５０μｍに形成される。
【００１８】
表示パネル体２においては、上述した各発光セル７の構成によって表示領域８の開口率が約６０％に形成されるとともに、各第１バス電極１０と各第２バス電極１１との構成によって表示領域８の左右部位における引出し電極形成領域９の開口率が約９０％に形成される。また、表示パネル体２においては、表示領域８の上下部位における引出し電極形成領域９の開口率が約７０％に形成される。表示パネル体２においては、外周部に駆動回路部４を配置して背面部が開放されるとともに上述した大きな開口率を以って表示領域８と引出し電極形成領域９とが形成されることによって、未使用状態で前面側から背景を視認することが可能とされる。表示パネル体２は、例えばカラーＰＤＰ１が窓際等に設置して用いられる場合に、未使用状態において図２に示すように外の風景が見られるようになり周囲の雰囲気を損なうことなく設置されるようにする。
【００１９】
また、表示パネル体２においては、駆動回路部４から各第１バス電極１０と各第２バス電極１１とに対して駆動パルス電圧が印加されて所定の発光セル７が発光することによって、図３に示すように表示領域８に画像が光学的に表示される。表示パネル体２においては、このように画像表示が行われている状態では、表示領域８の選択された発光セル７が強く光輝することから背景が隠され表示画像のみが強調されて表示されるようになる。また、表示パネル体２においては、引出し電極形成領域９では発光が行われないことから、表示領域８において表示画像があたかも空間中に浮き上がって強調されて表示されるようになる。
【００２０】
表示パネル体２においては、第１透明ガラス基板５と第２透明ガラス基板６とが、従来のカラーＰＤＰと同様にそれぞれ２ｍｍ乃至３ｍｍの厚み有し、例えば１５０μｍ程度の微小な対向間隔を以って外周部をベゼル３に全周に亘って保持されてなる。表示パネル体２においては、図４及び図５に示すように第１透明ガラス基板５と第２透明ガラス基板６との間の微小な間隙を上述した不透明な隔壁１３によってマトリックス状に配列した矩形の微小な放電空間部１４に区割りし、これらの放電空間部１４をそれぞれ発光セル７として構成してなる。
【００２１】
表示パネル体２は、各発光セル７が、各放電空間部１４に対応して前面側の第１透明ガラス基板５に一対の透明電極層１５ａ、１５ｂや第１バス電極１０、第１透明誘電体層１６及び透明保護層１７等を形成してなる。表示パネル体２は、背面側の第２透明ガラス基板６に第２バス電極１１と第２透明誘電体層１８とを形成してなる。また、表示パネル体２は、各放電空間部１４内に蛍光体層１９と、反射導光部２０とを形成してなる。
【００２２】
透明電極層１５ａ、１５ｂは、それぞれ第１透明ガラス基板５の内面に、互いに絶縁を保持されて放電空間部１４を横切る面電極として形成される。透明電極層１５ａ、１５ｂは、透明電極材として例えばスズドープ酸化インジウム（ITO:Indium-Tin-Oxide）が用いられ、化学的気相成長法（CVD:Chemical Vapor Deposition）やスパッタ法等によって成膜した透明電極膜に対してエッチング法やリフトオフ法によるパターニングを施して形成される。なお、透明電極層１５ａ、１５ｂは、その他の透明電極材として例えばＳｎＯ２、ＣｄＳｎＯ３、ＺｎＩｎＯ等を用いて形成するようにしてもよい。また、透明電極層１５ａ、１５ｂは、矩形或いはＴ形等の適宜の形状で形成するようにしてもよい。
【００２３】
第１バス電極１０は、透明電極層１５ａ、１５ｂの抵抗率が比較的高いことから、配線抵抗を下げるために別個に形成される。第１バス電極１０は、例えば抵抗率が小さなアルミニウム、銅、銀等の電極材が用いられて半導体プロセスを利用して成膜工程やパターニング工程等を施して形成される。第１バス電極１０は、不透明であることから、発光セル７の開口率を低下させないように隔壁１３の形成領域において透明電極層１５ａ、１５ｂとそれぞれ接続される。
【００２４】
第１透明誘電体層１６と透明保護層１７は、放電時に表面に壁電荷を形成してメモリ機能を派生したり、放電状態を制限する等の機能を奏する。第１透明誘電体層１６は、例えばガラス粉末、フィラー、有機バインダ、有機溶剤を混合した誘電体ペーストが用いられて、スクリーン印刷法やロールコーティング法等によりこの誘電体ペーストが第１透明ガラス基板５の内面に透明電極層１５ａ、１５ｂや第１バス電極１０を所定の膜厚を以って被覆するようにして塗布される。第１透明誘電体層１６は、この塗布工程や焼成工程等を経て、第１透明ガラス基板５の内面に均一な厚みを以って成膜形成される。
【００２５】
透明保護層１７は、第１透明誘電体層１６を発光セル７内におけるスパッタリングから保護する機能や、放電開始電圧を低減させる機能等を奏する。透明保護層１７は、例えば酸化マグネシウム（ＭｇＯ）層を、第１透明ガラス基板５の全面を被覆するようにして第１透明ガラス基板５の内面に成膜形成してなる。透明保護層１７は、例えば電子ビーム蒸着法や、スパッタリング法等によって成膜形成される。
【００２６】
表示パネル体２においては、上述した工程を経て形成した第１透明ガラス基板５が、第２透明ガラス基板６に対して組み合わされる。第２透明ガラス基板６には、上述した第１バス電極１０の形成工程と同様にして、第１バス電極１０と直交するようにして第２バス電極１１が形成される。第２透明ガラス基板６には、その内面に第２バス電極１１０を被覆して上述した第１透明誘電体層１６と同様の工程によって第２透明誘電体層１８が成膜形成され、第２バス電極１１の保護機能や放電電流の制限機能を奏する。
【００２７】
表示パネル体２においては、第２透明ガラス基板６の内面に、放電空間部１４を構成する隔壁１３が形成される。表示パネル体２においては、第２透明誘電体層１８を被覆するようにして第２透明ガラス基板６の内面に所定の厚み、すなわちこの第２透明ガラス基板６と第１透明ガラス基板５との対向間隔とほぼ等しい厚みを以って隔壁形成層が形成される。隔壁形成層は、例えば低誘電ガラスペースト層をスクリーン印刷法やロールコート法によって均一かつ精密な膜厚で形成し、乾燥工程を経た後にサンドブラスト法等が施されて不要部分のガラスペーストが除去されることによって格子状の隔壁１３を形成する。なお、隔壁１３については、スクリーン印刷法或いはアディティブ法等の適宜の方法によって形成することも可能である。
【００２８】
表示パネル体２においては、隔壁１３によって図４に示すように縦長矩形の放電空間部１４が構成されるが、この放電空間部１４の第１内面１４ａを除いた他の内周面に蛍光体層１９が成膜形成される。蛍光体層１９は、例えばスクリーン印刷法によって各放電空間部１４内に所定量の蛍光体ペーストを充填して乾燥工程を施すことにより、溶剤成分が蒸発して内面に蛍光体が付着して形成される。なお、蛍光体層１９については、例えば感光性蛍光体ペーストを用いて放電空間部１４内に蛍光体ペースト層を形成した後に、不要部分を露光除去する方法等によって形成するようにしてもよい。
【００２９】
表示パネル体２においては、第１内面１４ａに略４５°の反射面２０ａを有する反射導光部２０が形成される。反射導光部２０は、微細な放射空間部１４内に形成することが可能な種々の透明材料によって形成され、例えば上述した透明電極１５と同一の透明電極材を用いることによって材料の共用化が図られるようになる。
【００３０】
表示パネル体２は、以上の工程を経て形成された第２透明ガラス基板６に対して上述した第１透明ガラス基板５が精密に位置合わせされた状態で図示しないシール層を介して一体に接合される。表示パネル体２は、第２透明ガラス基板６側にガス孔を設け、第１透明ガラス基板５と第２透明ガラス基板６との間から内部の空気を抜き取るとともに放電ガスを導入する。放電ガスには、一般にイオン化エネルギーの大きな希ガス、例えばＸｅ、Ｎｅ、Ｈｅ等の混合ガスが用いられる。
【００３１】
以上のように構成された表示パネル体２は、第１透明ガラス基板５と第２透明ガラス基板６の外周部において、第１バス電極１０のテーパ部１０ａと第２バス電極１１のテーパ部１１ａにそれぞれコネクタ１２が装着される。表示パネル体２には、各コネクタ１２が詳細を省略する駆動回路部４Ａ乃至４Ｄと接続され、さらにこれら駆動回路部４Ａ乃至４Ｄを収納するようにしてベゼル３が組み合わされてカラーＰＤＡ１を完成する。
【００３２】
なお、カラーＰＤＡ１においては、図示しないが第１透明ガラス基板５の前面に前面フィルタパネルが組み付けられる。前面フィルタパネルには、表示パネル体２から放射される赤外線や電磁波を遮断する赤外線遮断層や電磁波遮断層が形成される。また、カラーＰＤＡ１においては、背面側の第２透明ガラス基板６側からも赤外線や電磁波が放射されるために、同様の背面フィルタパネルが組み付けられる。
【００３３】
以上のように構成されたカラーＰＤＰ１においては、駆動回路部４Ａ乃至４Ｄから各第１バス電極１０と第２バス電極１１とに駆動パルス電圧が印加されることによって、所定の発光セル７が発光して表示領域８に画像表示が行われる。カラーＰＤＰ１においては、第１バス電極１０や第２バス電極１１を介して駆動パルス電圧が印加され、主に表示にかかわる放電が透明電極１５ａ、１５ｂ間で発生する。カラーＰＤＰ１においては、この放電によって、放電空間部１４内において紫外線が発生し、この紫外線が隔壁１３の内面に形成した蛍光体層１９を照射してこれを励起することで表示光（可視光）が放射される。
【００３４】
カラーＰＤＰ１においては、蛍光体層１９から放射された表示光Ｌが、図５に示すように反射導光部２０の反射面２０ａによって第１透明ガラス基板５側へと屈折される。したがって、カラーＰＤＰ１においては、第１透明ガラス基板５から露光する表示光Ｌにより発光セル７が光輝して観察されることで、表示領域８の全体で所定のカラー画像が表示されるようにする。カラーＰＤＰ１においては、上述したように表示領域８のみが光輝して引出し電極形成領域９では発光が行われないことから、表示領域８があたかも空間中に浮き上がって表示画像を強調するフローティング表示が行われる。
【００３５】
カラーＰＤＰ１は、大型画面によって迫力ある画像が表示されることで人が集まる目につきやすい場所に設置されて用いられる。カラーＰＤＰ１においては、未使用状態であっても、ベゼル３に縁ち取られた表示パネル体２の電極形成領域９とともに表示領域８の前面側から背景を視認することが可能である。したがって、カラーＰＤＰ１においては、従来のように薄暗い無味乾燥な画面が表示パネル体２を介して背景を見えるようにしたことで、設置した場所の環境や雰囲気を損なわせることは無い。
【００３６】
一方、カラーＰＤＰ１においては、特徴ある表示形態と未使用時でも背景が見られる構成から、例えば室内等に設置される透明なパーテーション或いは仕切窓等に組み込むことにより思わぬ場所にカラー画像の表示を行うことも可能とさせる。カラーＰＤＰ１においては、薄型で大型の表示画面を有することから、例えばショーウィンド等に組み込んで商品説明や案内或いは癒しのカラー動画を表示させることも可能とする。
【００３７】
ところで、上述したカラーＰＤＰ１においては、上述した１個の発光セル７がそれぞれ光三原色の赤色、緑色或いは青色のいずれか一色で発光する単位セルを構成する。カラーＰＤＰ１においては、詳細を省略するが隣り合う３個の発光セル７内の各蛍光体層１９を順に赤色、緑色及び青色の発色蛍光体層によって構成する。カラーＰＤＰ１においては、これら３個の単位セルから出射される表示光を合成して所定の色調の発光が行われる画素を構成する。
【００３８】
図６及び図７に示したカラーＰＤＰ２５は、隣り合う３個の単位セル２６ａ乃至２６ｃによってそれぞれ各画素２７を構成する基本的な構成が上述したカラーＰＤＰ１と同様とするが、表示領域８の開口率をさらに向上させた構成に特徴がある。すなわち、カラーＰＤＰ２５においては、図６に示すように単位セル２６ａ乃至２６ｃによって構成される各画素２７間にそれぞれ透明セル２８を形成してなる。なお、カラーＰＤＰ２５は、上述したカラーＰＤＰ１の説明では詳細を省略したが、各単位セル２６ａ乃至２６ｃに対してそれぞれ１本のアドレス電極１１が割り当てられるとともに一対の表示電極１０が割り当てられている。
【００３９】
カラーＰＤＰ２５は、図７に示すようにアドレス電極１１が各単位セル２６ａ乃至２６ｃの背面側において中央部を横切るようにして形成されることにより、表示領域８の開口率が幾分低下した構造となっている。カラーＰＤＰ２５においては、図６に示すように各透明セル２８が、隔壁１３によって構成される放電空間部１４の内部において上述したアドレス電極１１やカラーＰＤＰ１のような蛍光体層１９或いは反射同後部２０等が形成されずに素通しの空間部として構成されてなる。
【００４０】
したがって、カラーＰＤＰ２５においては、各透明セル２８を介して表示領域８の前面側から背景を視認することが可能となる。パネル表示装置２５においては、透明セル２８を設けたことによりカラーＰＤＰ１と比較して同一面積の表示領域８における画素数が少なくなり表示画像が多少粗くなるが、使用目的によっては充分に対応可能である。
【００４１】
なお、カラーＰＤＰ２５においては、例えば各発光セルが従来の一般的なカラーＰＤＰに採用されている背面側を閉塞した発光セルの構成とし、これら発光セルに隣接して上述した透明セル２８を設けることによっても、上述したカラーＰＤＰ１と同様に前面側から背景を透視可能とすることが可能となる。また、カラーＰＤＰ２５においては、各画素２７に隣り合って透明セル２８を形成するようにしたが、開口率が低下しても使用目的によっては適宜のピッチを以って透明セル２８を形成するようにしてもよい。
【００４２】
上述したカラーＰＤＰ１やカラーＰＤＰ２５においては、各画素２１を併設した３個の単位セル７ａ乃至７ｃによって構成し、各単位セル７ａ乃至７ｃからの表示光を合成してカラー表示が行われるように構成される。図８に示したカラーＰＤＰ３０は、前面側から背景を見ることが可能に構成された、換言すれば背面側からの入射光を前面側へと透過させることが可能に構成された３個の第１表示パネル体３１Ａ乃至第３表示パネル体３１Ｃを積層して相対する第１発光セル３２Ａ乃至第３発光セル３２Ｃによって層方向の画素３３を構成してカラー表示を行うようにする。カラーＰＤＰ３０は、第１表示パネル体３１Ａ乃至第３表示パネル体３１Ｃを積層することで厚みが大きくなるが、同一面積の表示領域８における画素数をほぼ３倍としてきめの細かい画像表示を行うことが可能となる。
【００４３】
カラーＰＤＰ３０においては、例えば第１表示パネル体３１Ａが赤色の表示光のみを出射し、第２表示パネル体３１Ｂが緑色の表示光のみを出射し、第３表示パネル体３１Ｃが青色の表示光のみを出射する。カラーＰＤＰ３０においては、第１表示パネル体３１Ａ乃至第３表示パネル体３１Ｃが図８に示すように積層方向に対してそれぞれ幾分ずらした状態でそれぞれ設けられてなる。
【００４４】
カラーＰＤＰ３０においては、第１表示パネル体３１Ａの第１発光セル３２Ａから出射された赤色表示光ＬＡが第２表示パネル体３１Ｂの背面側から第２発光セル３２Ｂ内に入射される。カラーＰＤＰ３０においては、第２表示パネル体３１Ｂの第２発光セル３２Ｂから出射された緑色表示光ＬＢが第１表示パネル体３１Ａからの赤色表示光ＬＡと合成されて第３表示パネル体３１Ｃの背面側から第３発光セル３２Ｃ内に入射される。カラーＰＤＰ３０においては、第３発光セル３２Ｃから出射された青色表示光ＬＣがさらに合成されて所定の色調の表示光となって、第３表示パネル体３１Ｃから出射される。
【００４５】
なお、カラーＰＤＰ３０においては、第１表示パネル体３１Ａ乃至第３表示パネル体３１Ｃの各第１発光セル３２Ａ乃至第３発光セル３２Ｃに隣接して上述したカラーＰＤＰ２５と同様の透明セル２８を設けるようにしてもよい。カラーＰＤＰ３０は、多層化することによって画素数を増やすことから、より精度の高い画像表示を行うことが可能となる。
【００４６】
また、上述した各実施の形態においては、カラーＰＤＰの適用例を説明したが、本発明はかかるカラーＰＤＰに限定されるものでは無いことは勿論である。本発明は、発光セルを有するその他のディスプレィ、例えば有機分子中の正孔と電子との再結合によって発光が行われるＥＬＤや、放出電子による蛍光体の励起によって発光が行われる電界放出ディスプレィ（FED:Field Emission Display）等の照明源を必要としない各種の自発光型ディスプレィパネルに適用される。
【図面の簡単な説明】
【００４７】
【図１】本発明の実施の形態として示すカラーＰＤＰの構成説明図である。
【図２】未使用時の状態を説明する正面図である。
【図３】使用時の状態を説明する正面図である。
【図４】発光セルの構造を説明する要部縦断面図である。
【図５】発光セルの構造を説明する図４Ｋ−Ｋ線の縦断面図である。
【図６】他の実施の形態として示すカラーＰＤＰの画素構成説明図である。
【図７】発光セルの構造を説明する要部縦断面図である。
【図８】他の実施の形態として示すカラーＰＤＰの要部縦断面図である。
【符号の説明】
【００４８】
１  カラーＰＤＰ、２  表示パネル体、３  ベゼル、４  駆動回路部、５  第１透明ガラス基板、６  第２透明ガラス基板、７  発光セル、８  表示領域、９  引出し電極形成領域、１０  第１バス電極、１１  第２バス電極、１２  コネクタ、１３  隔壁、１４  放電空間部、１５  透明電極層、１６  第１透明誘電体層、１７  保護層、１８  第２透明誘電体層、１９  蛍光体層、２０  反射導光部、２１  画素、２５  カラーＰＤＰ、２６  単位セル、２７  画素、２８  透明セル、３０  カラーＰＤＰ、３１  表示パネル体、３２  発光セル
【図１】
2005092150.tif 000003
【図２】
2005092150.tif 000004
【図３】
2005092150.tif 000005
【図４】
2005092150.tif 000006
【図５】
2005092150.tif 000007
【図６】
2005092150.tif 000008
【図７】
2005092150.tif 000009
【図８】
2005092150.tif 000010
【手続補正書】
【提出日】平成16年7月21日(2004.7.21)
【手続補正１】
【補正対象書類名】特許請求の範囲
【補正対象項目名】請求項４
【補正方法】変更
【補正の内容】
【請求項４】
上記各発光セルが、上記一対の透明ガラス基板の対向領域を区割りして上記発光セルを構成する隔壁と、一方側の上記隔壁内面に設けられた発光層と、この発光層と対向する他方側の上記隔壁内面に配置されて上記発光層から放射された表示光を上記表示パネル体の前面側の透明ガラス基板側に屈折して導光するとともに上記表示パネル体の背面側からの入射光を透過させる透明材によって形成された反射導光部材とを有し、
上記発光セルを介して表示領域の背面側の背景が視認されることを特徴とする請求項１に記載の自発光型パネル表示装置。
【手続補正２】
【補正対象書類名】明細書
【補正対象項目名】０００１
【補正方法】変更
【補正の内容】
【０００１】
本発明は、透明ガラス基板間に形成される発光セルをマトリックス状に配列して表示領域を構成してなる自発光型パネル表示装置に関する。
【手続補正３】
【補正対象書類名】明細書
【補正対象項目名】０００３
【補正方法】変更
【補正の内容】
【０００３】
例えば、カラーＰＤＰは、内部にそれぞれ放電電極が設けられた多数の放電セルをマトリックス状に配列して形成した表示パネル体を備え、放電電極間にパルス電圧を印加することによって放電セル内において紫外線を発生させる。カラーＰＤＰは、例えば表示パネル体の内面に表示画素或いは表示単位毎に赤、緑、青の光三原色蛍光体からなる発光層が形成されており、この発光層に対して紫外線を照射していずれかの蛍光体を発光させてることによってカラー表示が行われるようにする。
【手続補正４】
【補正対象書類名】明細書
【補正対象項目名】０００８
【補正方法】変更
【補正の内容】
【０００８】
上述した目的を達成する本発明にかかる自発光型パネル表示装置は、例えばカラーＰＤＰの場合に、一対の透明ガラス基板の間に多数の発光セルをマトリックス状に配列して表示領域を構成する表示パネル体と、この表示パネル体の外周部に沿って配置されて透明ガラス基板の外周部を保持するとともに各発光セルの各バス電極が接続されこれら各バス電極に駆動電圧を選択的に印加することによって各発光セルを発光させる駆動回路部とを備える。
【手続補正５】
【補正対象書類名】明細書
【補正対象項目名】０００９
【補正方法】変更
【補正の内容】
【０００９】
以上のように構成される本発明にかかる自発光型パネル表示装置においては、例えばカラーＰＤＰの場合に、駆動回路部からバス電極を介して所定の発光セルに設けた一対の透明電極に対して駆動パルス電圧を印加して当該発光セルから表示光を発光させる。自発光型パネル表示装置においては、表示光が透明電極を介して前面側の透明ガラス基板から露光することによって所定の表示が行われるようにする。自発光型パネル表示装置においては、表示パネル体の外周部に駆動回路部が設けられることでやや幅広の枠部が構成されるが、さほど大型となるわけでも無く違和感を生じることも無い。自発光型パネル表示装置においては、表示パネル体に、表示領域と駆動回路部の内周部との間に位置して引出し電極の形成領域が構成される。
【手続補正６】
【補正対象書類名】明細書
【補正対象項目名】００１０
【補正方法】変更
【補正の内容】
【００１０】
以上のように構成される本発明にかかる自発光型パネル表示装置によれば、表示パネル体の外周部に沿って駆動回路部を配置したことから、表示パネル体をほぼ一対の透明ガラス基板の厚み寸法或いは必要に応じてこれら透明ガラス基板に積層して設けた電磁波遮断フィルタ等との厚み寸法によって構成することが可能となり一般的なパネル表示装置と比較してさらに薄型化が図られるようになる。本発明にかかる自発光型パネル表示装置によれば、一対の透明ガラス基板間に多数の発光セルを形成した表示パネル体が、表示領域或いはこの表示領域と駆動回路部との間に設けられる引出し電極の配置領域を介して前面側から背面側の背景を透視することも可能とする。
【手続補正７】
【補正対象書類名】明細書
【補正対象項目名】００１１
【補正方法】変更
【補正の内容】
【００１１】
したがって、本発明にかかる自発光型パネル表示装置によれば、未使用時においても駆動回路部の枠内から表示パネル体の背面側の背景を視認することも可能とされるようになり、周囲との調和が図られる新規な態様を創成する。また、本発明にかかる自発光型パネル表示装置によれば、透過率の高い引出し電極の配置領域を介して表示領域の画像を浮き上がらせるようにするいわゆるフローティング表示を行うことも可能である。
【手続補正８】
【補正対象書類名】明細書
【補正対象項目名】００１３
【補正方法】変更
【補正の内容】
【００１３】
以下、本発明にかかる自発光型パネル表示装置の実施の形態として図面に示したカラーＰＤＰ１について詳細に説明する。カラーＰＤＰ１は、図１に示すように横長矩形の表示パネル体２と、この表示パネル体２の外周部を保持する矩形枠状のベゼル３と、このベゼル３の各辺の内部にそれぞれ収納された駆動回路部４Ａ乃至４Ｄとから構成される。カラーＰＤＰ１は、図示しないが必要に応じてベゼル３の長手方向の両側面部にそれぞれスピーカユニットを組み合わせたり底面部にスタンド部材を設けるようにしてもよい。なお、駆動回路部４Ａ乃至４Ｄについては、以下、駆動回路部４と総称する。
【手続補正９】
【補正対象書類名】明細書
【補正対象項目名】００１５
【補正方法】変更
【補正の内容】
【００１５】
表示パネル体２には、第１透明ガラス基板５の内面に各発光セル７に対応して水平方向に並んで多数の第１バス電極１０が形成されるとともに、第２透明ガラス基板６の内面に各発光セル７に対応して高さ方向に並んで多数の第２バス電極１１が形成される。表示パネル体２は、第１バス電極１０と第２バス電極１１とが、図１に示すように表示領域８内において各発光セル７を介して前後方向に離間するが、格子状に交差するようにして形成される。表示パネル体２は、第１バス電極１０を表示電極用とするとともに、第２バス電極１１をアドレス電極用とする。表示パネル体２は、例えば第１バス電極１０が、各発光セル７毎に２本設けられて、表示領域内で１５３６本、左右の引出し電極形成領域９でそれぞれ７６８本が設けられる。表示パネル体２は、例えば第２バス電極１１が、各色毎に１３６５本、合計４０９５本が設けられてなる。
【手続補正１０】
【補正対象書類名】明細書
【補正対象項目名】００１６
【補正方法】変更
【補正の内容】
【００１６】
表示パネル体２は、各第１バス電極１０及び各第２バス電極１１が、図１に示すようにベゼル３によって覆われる外周部位において所定の領域毎に長手方向或いは幅方向に互いの間隔を狭められてテーパ部１０ａ、１１ａを構成して詳細を省略する多数個のコネクタ１２にそれぞれ接続される。表示パネル体２は、各第１バス電極１０及び各第２バス電極１１が、これらコネクタ１２を介して相対する駆動回路部４と接続される。なお、表示パネル体２においては、各第１バス電極１０を左右側辺部にそれぞれ配置した駆動回路部４Ａ、４Ｂと接続するとともに、各第２バス電極１１を上辺部と下辺部とにそれぞれ配置した駆動回路部４Ｃ、４Ｄと接続してなる。
【手続補正１１】
【補正対象書類名】明細書
【補正対象項目名】００２３
【補正方法】変更
【補正の内容】
【００２３】
第１バス電極１０は、透明電極層１５ａ、１５ｂの抵抗率が比較的高いことから、配線抵抗を下げるために別個に形成される。第１バス電極１０は、例えば抵抗率が小さなアルミニウム、銅、銀等の電極材が用いられて半導体プロセスを利用して成膜工程やパターニング工程等を施して形成される。第１バス電極１０は、不透明であることから、発光セル７の開口率を低下させないように隔壁１３の形成領域の近傍において透明電極層１５ａ、１５ｂとそれぞれ接続される。
【手続補正１２】
【補正対象書類名】明細書
【補正対象項目名】００２４
【補正方法】変更
【補正の内容】
【００２４】
第１透明誘電体層１６と透明保護層１７は、放電時に表面に壁電荷を形成してメモリ機能を派生したり、放電状態を制限する等の機能を奏する。第１透明誘電体層１６は、例えばガラス粉末、フィラー、有機バインダ、有機溶剤を混合した誘電体ペーストが用いられて、スクリーン印刷法やロールコーティング法等によりこの誘電体ペーストが第１透明ガラス基板５の内面に透明電極層１５ａ、１５ｂや第１バス電極１０を所定の膜厚を以って被覆するようにして塗布される。第１透明誘電体層１６は、この塗布工程や焼成工程等を経て、第１透明ガラス基板５の内面に一定の厚みを以って成膜形成される。
【手続補正１３】
【補正対象書類名】明細書
【補正対象項目名】００２６
【補正方法】変更
【補正の内容】
【００２６】
表示パネル体２においては、上述した工程を経て形成した第１透明ガラス基板５が、第２透明ガラス基板６に対して組み合わされる。第２透明ガラス基板６には、上述した第１バス電極１０の形成工程と同様にして、第１バス電極１０と直交するようにして第２バス電極１１が形成される。第２透明ガラス基板６には、その内面に第２バス電極１１を被覆して上述した第１透明誘電体層１６と同様の工程によって第２透明誘電体層１８が成膜形成され、第２バス電極１１の保護機能や放電電流の制限機能を奏する。
【手続補正１４】
【補正対象書類名】明細書
【補正対象項目名】００２７
【補正方法】変更
【補正の内容】
【００２７】
表示パネル体２においては、第２透明ガラス基板６の内面に、放電空間部１４を構成する隔壁１３が形成される。表示パネル体２においては、第２透明誘電体層１８を被覆するようにして第２透明ガラス基板６の内面に所定の厚み、すなわちこの第２透明ガラス基板６と第１透明ガラス基板５との対向間隔とほぼ等しい厚みを以って隔壁形成層が形成される。隔壁形成層は、例えば低誘電ガラスペーストをスクリーン印刷法やロールコート法によって均一かつ精密な膜厚で形成し、乾燥工程を経た後にサンドブラスト法等が施されて不要部分のガラスペーストが除去されることによって格子状の隔壁１３を形成する。なお、隔壁１３については、スクリーン印刷法或いはアディティブ法等の適宜の方法によって形成することも可能である。
【手続補正１５】
【補正対象書類名】明細書
【補正対象項目名】００３１
【補正方法】変更
【補正の内容】
【００３１】
以上のように構成された表示パネル体２は、第１透明ガラス基板５と第２透明ガラス基板６の外周部において、第１バス電極１０のテーパ部１０ａと第２バス電極１１のテーパ部１１ａにそれぞれコネクタ１２が装着される。表示パネル体２には、各コネクタ１２が詳細を省略する駆動回路部４Ａ乃至４Ｄと接続され、さらにこれら駆動回路部４Ａ乃至４Ｄを収納するようにしてベゼル３が組み合わされてカラーＰＤＰ１を完成する。
【手続補正１６】
【補正対象書類名】明細書
【補正対象項目名】００３２
【補正方法】変更
【補正の内容】
【００３２】
なお、カラーＰＤＰ１においては、図示しないが第１透明ガラス基板５の前面に前面フィルタが組み付けられる。前面フィルタには、表示パネル体２から放射される赤外線や電磁波を遮断する赤外線遮断層や電磁波遮断層が形成される。また、カラーＰＤＰ１においては、背面側の第２透明ガラス基板６側からも赤外線や電磁波が放射されるために、同様の背面フィルタが組み付けられる。
【手続補正１７】
【補正対象書類名】明細書
【補正対象項目名】００３８
【補正方法】変更
【補正の内容】
【００３８】
図６に示したカラーＰＤＰ２５は、隣り合う３個の単位セル２６ａ乃至２６ｃによってそれぞれ各画素２７を構成する基本的な構成が上述したカラーＰＤＰ１と同様とするが、表示領域８の開口率をさらに向上させた構成に特徴がある。すなわち、カラーＰＤＰ２５においては、図６に示すように単位セル２６ａ乃至２６ｃによって構成される各画素２７間にそれぞれ透明セル２８を形成してなる。なお、カラーＰＤＰ２５は、上述したカラーＰＤＰ１の説明では詳細を省略したが、各単位セル２６ａ乃至２６ｃに対してそれぞれ１本のアドレス電極１１が割り当てられるとともに一対の表示電極１０が割り当てられている。
【手続補正１８】
【補正対象書類名】明細書
【補正対象項目名】００３９
【補正方法】変更
【補正の内容】
【００３９】
カラーＰＤＰ２５は、図６に示すようにアドレス電極１１が各単位セル２６ａ乃至２６ｃの背面側において中央部を横切るようにして形成されることにより、表示領域８の開口率が幾分低下した構造となっている。カラーＰＤＰ２５においては、図６に示すように各透明セル２８が、隔壁１３によって構成される放電空間部１４の内部において上述したアドレス電極１１やカラーＰＤＰ１のような蛍光体層１９或いは反射導光部２０等が形成されずに素通しの空間部として構成されてなる。
【手続補正１９】
【補正対象書類名】明細書
【補正対象項目名】００４１
【補正方法】変更
【補正の内容】
【００４１】
なお、カラーＰＤＰ２５においては、例えば図７に示すような各発光セルが従来の一般的なカラーＰＤＰに採用されている背面側を閉塞した発光セルの構成とし、これら発光セルに隣接して上述した透明セル２８を設けることによっても、上述したカラーＰＤＰ１と同様に前面側から背面側の背景を透視可能とすることが可能となる。また、カラーＰＤＰ２５においては、各画素２７に隣り合って透明セル２８を形成するようにしたが、開口率が低下しても使用目的によっては適宜のピッチを以って透明セル２８を形成するようにしてもよい。
【手続補正２０】
【補正対象書類名】明細書
【補正対象項目名】００４７
【補正方法】変更
【補正の内容】
【００４７】
【図１】本発明の実施の形態として示すカラーＰＤＰの構成説明図である。
【図２】未使用時の状態を説明する正面図である。
【図３】使用時の状態を説明する正面図である。
【図４】発光セルの構造を説明する一部切欠き要部平面図である。
【図５】発光セルの構造を説明する図４Ｋ−Ｋ線の矢視断面図である。
【図６】他の実施の形態として示すカラーＰＤＰの画素構成説明図である。
【図７】発光セルの構造を説明する一部切欠き要部平面図である。
【図８】他の実施の形態として示すカラーＰＤＰの要部縦断面図である。